(57)【要約】      （修正有）【課題】冠を覆うカバーであって、収納機能と反射表示機能を同時に有するとともに、覆い状態をより一層安定させ使いやすくしたランドセル用カバーを提供する。【解決手段】冠の外側面を被覆する形態のシート状本体２の外側面下部にポケットを設け、本体下端部は裏側に折返して受け袋状の冠先端差込部５を形成するとともに、その先端縁に帯状シート６を延設し、該差込部と帯状シートは左右両縁を本体の両縁部に縫着することにより、帯状シートをポケットの背面部位において本体裏側に固着し、差込部と帯状シートは中央部を開口部７として残して連設し、本体上部の裏面側には左右縁部から裏面側に回って止着可能な留め紐８を装着した。【選択図】図２
0003113952.tif 000002
【実用新案登録請求の範囲】
【請求項１】
ランドセルの冠の外側面を被覆する形態のシート状本体の外側面下部乃至下部寄り部位にポケットを設け、本体下端部は裏側に折返して受け袋状の冠先端差込部を形成するとともに、その先端縁に帯状シートを延設し、該差込部と帯状シートは左右両縁を本体の両縁部に縫着などして止着することにより、帯状シートをポケットの背面部位において本体裏側に固着し、上記差込部と帯状シートは中央部を開口部として残して連設し、本体上部の裏面側には左右縁部から裏面側に回って止着可能な留め紐を装着してなる構成を有するランドセル用カバー。
【請求項２】
ポケットは少なくとも上側辺部分が開閉可能に形成されてなる請求項１に記載のランドセル用カバー。
【請求項３】
ポケットの外側面内に反射面を表わしてなる請求項１又は２に記載のランドセル用カバー。
【考案の詳細な説明】
【技術分野】
【０００１】
本考案はランドセルの冠（ランドセル本体の蓋）を覆うカバーに関する。
【背景技術】
【０００２】
ランドセルのカバーは、ランドセル全体を覆うタイプと冠を覆うタイプとがある。後者のものは、上下に金具を通す開口部を設けて冠を覆うカバー体を形成する形態とし、かつ、カバー体の外側面或いは周縁に反射面を形成したものが開示されており、下記特許文献に例示されている。
【特許文献１】登録実用新案第３０７７２７８号公報
【特許文献２】登録実用新案第３０８７８０６号公報
【考案の開示】
【考案が解決しようとする課題】
【０００３】
本考案は、このような従来の冠を覆うタイプのカバーであって、従来タイプに無かった収納機能と反射表示機能を同時に有するとともに、覆い状態をより一層安定したものとして、使いやすくしたカバーを新たに提供せんとするものである。
【課題を解決するための手段】
【０００４】
上記課題を解決するために、本考案は、ランドセルの冠の外側面を被覆する形態のシート状本体の外側面下部乃至下部寄り部位にポケットを設け、本体下端部は裏側に折返して受け袋状の冠先端差込部を形成するとともに、その先端縁に帯状シートを延設し、該差込部と帯状シートは左右両縁を本体の両縁部に縫着などして止着することにより、帯状シートをポケットの背面部位において本体裏側に固着し、上記差込部と帯状シートは中央部を開口部として残して連設し、本体上部の裏面側には左右縁部から裏面側に回って止着可能な留め紐、例えばゴム紐を装着してランドセル用カバーを構成したことを特徴とするものである。
【０００５】
ポケットは少なくとも上側辺部分が開閉可能に形成されたものとするのが好ましく、また、ポケットの外側面内に反射面を表わしてカバーを形成するのが好ましい。
なお、カバー上縁中央部にランドセル本体の吊り下げ金具を通す環体を装着するなどの構成は任意に付加することができる。
【考案の効果】
【０００６】
ポケットは、ランドセルを背負ったときに垂下した冠の外側に、垂直方向に形成されるので、便利に収納機能を利用することができ、この背面部位に形成された帯状シートが冠を抱持してボケット部分の被覆状態を安定させ、収納を確実なものとすることができる。
冠の下端部は上記帯状シートを通して冠先端差込部に収納し抱持されるので、カバーの装着状態が極めて安定的となり、帯状シートと差込部との間の中央部に残した開口部を利用して冠下端部の留め金具を外部に露出させ得るので、簡便な製作により、使用時の開閉操作を便利に保つカバーを提供することができる。カバー上端部は、留め紐で止着して安定的であり、環体でも留めることができる。加えて、ポケットの外側面内に反射面を形成することにより、自動車などのライドが当たりやすく、小さい反射面でも危険防止効果を高めることができる。
【考案を実施するための最良の形態】
【０００７】
以下、本考案の一実施形態を図面とともに説明する。
ランドセル用カバー１は、ナイロン等の合成繊維、綿その他の任意素材、好ましくは撥水素材で、ランドセルの冠１０の外側面を覆う形態のシート状本体２を設け、その外側面下部寄り部位にポケット３を縫着し、ポケット３は、外側面布の下端部を折り返して、本体下端付近において本体１に縫着し、左右側面の下部に側面マチ布を縫着し、左右上部から上面に回ってスライドファスナー３ａにより開閉自在とした側面マチ布を縫着し、これらマチ布の他側縁を本体に縫着して形成してある。ポケット３の外側面内の中央付近には小形にかたどった反射テープなどによる反射面４を形成してある。
【０００８】
本体２の下端はシート延長部を裏側に折返して受け袋状の冠先端差込部５を裏側に形成するとともに、その先端縁すなわち上端縁に帯状シート６を延設し、両者は各上下端縁を縁縫して補強しておき、両者間の中央部を適宜長さ分だけ開口部７として残し、左右部を縫着一体化し、このように連設した差込部５と帯状シート６の左右両縁を本体２の両縁部に縫着することにより、帯状シート６をポケット３の背面部位において本体２の裏側に一体化して形成してある。
【０００９】
本体２の上端部の左右縁部には、裏面側に回る留め紐８例えばゴム紐の元端部を縫着一体化し、各留め紐８の先端部は互いに止着可能な雌雄の面ファスナー８ａその他の連結部を設けて形成してある。また、本体２の上端中央部にはランドセルに装着されている吊り具を挿通させる環体９を固着してある。
【００１０】
上記カバー１の装着の手順は問わないが、例えば、冠１０の外側に被せるとともに、留め紐８を冠１０の付け根部裏側に回して止着し、ランドセルの吊り具を環体９に通し、その上で冠の下端部を、本体２と帯状シート６との間を通して冠先端差込部５に差込み、冠下端部に具備されているランドセル本体側への留め金具を開口部７に通して露出させればよく、カバー１は冠１０に被着され、便利に使用されることになる。
なお、上記構成は一実施例であるので、各部の構成、形状は上記記載に限定されるものではなく変更可能である。
【図面の簡単な説明】
【００１１】
【図１】本考案に係るカバーの外側面斜視図である。
【図２】図１の裏側面斜視図である。
【図３】図２のIII−III線部分断面図である。
【図４】図１のカバーの装着状態を示す側面略図である。
【符号の説明】
【００１２】
１  カバー、    ２  シート状本体、    ３  ポケット、    ３ａ  ファスナー、
４  反射面、    ５  冠先端差込部、    ６  帯状シート、    ７  開口部、
８  留め紐、    ８ａ  面ファスナー、    ９  環体、    １０  冠。
【図１】
0003113952.tif 000003
【図２】
0003113952.tif 000004
【図３】
0003113952.tif 000005
【図４】
0003113952.tif 000006